(57)【要約】【課題】運転席の前方が開放されたリアエンジン式作業車両の操縦部において、運転者の姿勢を安定化することを課題とする。【解決手段】作業車両１の側部より運転席８近傍に延出した部材１４の端部を、作業車両操縦者の上体支持用グリップし、他方にステアリング手段９もしくは駆動制御手段を設ける。また、作業車両１の側部より運転席８近傍に延出した部材１４の端部にステアリング手段９を設け、ステアリング手段９を作業車両操縦者の前方に配置し、ステアリング手段９が作業車両操縦者の上体支持手段を兼ねる。【選択図】　　　　図３
2004089077.tif 000002
【特許請求の範囲】
【請求項１】
運転席の前方が開放されたリアエンジン式作業車両の操縦部であって、
該作業車両より運転席近傍に延出した部材の端部を、作業車両操縦者の上体支持用グリップとすることを特徴とする作業車両の操縦部。
【請求項２】
運転席の前方が開放されたリアエンジン式作業車両の操縦部であって、
該作業車両の機体側部の一方に、作業車両操縦者の上体支持用グリップ設けるとともに、他方にステアリング手段もしくは駆動制御手段を設けることを特徴とする作業車両の操縦部。
【請求項３】
リアエンジン式ゼロターン作業車両の操縦部であって、
該作業車両の側部もしくは前部より運転席近傍に延出した部材の端部にステアリング手段を設け、
該ステアリング手段を作業車両操縦者の前方に配置し、
該ステアリング手段が作業車両操縦者の上体支持手段を兼ねることを特徴とする作業車両の操縦部。
【発明の詳細な説明】
【０００１】
【発明の属する技術分野】
本発明は、芝刈機などの乗用型作業車の操縦部に関する。より詳しくは、運転席の前方が開放されたリアエンジン式作業車両の操縦部の構成に関する。
【０００２】
【従来の技術】
左後輪の無段変速装置の操作部に連係させた左走行操向操作レバーと、右後輪の無段変速装置の操作部に連係させた右走行操向操作レバーとを、運転座席の前端側の左横側と右横側とに振り分けて設けて、左右の走行操向操作レバーにより操縦を行う芝刈機は知られている。
例えば、特許文献１に示されるものである。
【０００３】
（特許文献１）
特開２００１−２７５４４０号公報
【０００４】
【発明が解決しようとする課題】
しかし、このような乗用式の芝刈機においては、両手を作業車両の操作に用いるものである。このため、作業時において、操縦者の状態は主に運転席の背もたれにより行われる。操縦者は、運転席に腰掛けて、上体を後方にそらして体重を背もたれにかけて、操作を行う。
このため、運転時に作業車の直前付近を確認する場合に、上体を前傾させると運転席の背もたれにより上体を支えることができない。両手は作業車の操作に用いるものであり、作業者の前傾姿勢は作業車の腹筋および背筋により支えられることとなり、長時間の前傾姿勢をとることは困難となる。
【０００５】
【課題を解決するための手段】
上記の課題を解決すべく、本発明は次のような手段を用いる。
運転席の前方が開放されたリアエンジン式作業車両の操縦部に、操縦者の上体を支えるための部材を配設するものである。そして、作業車直前の確認を容易にするとともに、作業車のピッチングやローリングに対して操縦者の上体を安定化させるとともに、操縦者に安心感を与えるものである。
すなわち、請求項１に記載のごとく、運転席の前方が開放されたリアエンジン式作業車両の操縦部であって、
該作業車両より運転席近傍に延出した部材の端部を、作業車両操縦者の上体支持用グリップとする。また、乗降性向上を図る為、グリップバーを従来のレバー同様に任意で立てることも可能とする。
【０００６】
請求項２に記載のごとく、運転席の前方が開放されたリアエンジン式作業車両の操縦部であって、
該作業車両の機体側部の一方に、作業車両操縦者の上体支持用グリップ設けるとともに、他方にステアリング手段もしくは駆動制御手段を設ける。また、乗降性向上を図る為、グリップバーを従来のレバー同様に任意で立てることも可能とする。
【０００７】
請求項３に記載のごとく、リアエンジン式ゼロターン作業車両の操縦部であって、
該作業車両の側部もしくは前部より運転席近傍に延出した部材の端部にステアリング手段を設け、
該ステアリング手段を作業車両操縦者の前方に配置し、
該ステアリング手段が作業車両操縦者の上体支持手段を兼ねる。
また、オーソドックスなステアリングとペダル方式とすることも可能とする。
【０００８】
【発明の実施の形態】
次に、本発明の実施の形態について図を用いて説明する。
図１は乗用型芝刈機の全体側面図。
図２は同じく側面図。
【０００９】
図１および図２を用いて、リアエンジン式作業車両の全体構成について説明する。
作業車両１はリアエンジン式の乗用型芝刈機でありる。作業車両１は、前部左右にキャスター輪２・２を配設し、後部左右に駆動輪３・３を配設している。そして、フレーム４の中央部下にはモアデッキ５が配設されている。モアデッキ５はフレーム４の下方において昇降自在に構成されており、モアデッキ５には草や他の植物を切るのに用いられる回転刃が装着されている。
作業車両１の後部において、エンジン６がフレーム４上に載置され、カバー７により被装されている。
エンジン６の出力軸は鉛直方向に配設されており、この出力軸には２つのプーリが挿着されている。一方のプーリはベルトを介してモアデッキ５に駆動力を伝達するものである。他方のプーリはベルトを介して、操向駆動装置１１の入力軸に駆動力を伝達する。
操向駆動装置１１の左右側方には、駆動軸が延出されており、この駆動軸に駆動輪３が装着されている。
操向駆動装置１１はゼロターン可能なものである。なお、ゼロターンはスピンターンのごとく、駆動輪間の中央を通る垂直な軸を回転軸として回転することである。
【００１０】
作業車両１の後部に装着されたカバー７はフレーム４に取付けられており、このカバー７上部にシート８が配設される。
シート８の前方にはステアリングホイール９が配設され、ステアリングホイール９はシート１４の背もたれ前方に位置する操作装置支持ボックス１０上に配設されている。操作装置支持ボックス１０は作業車両側部に立設したピラー１２の上部に接続している。
操作装置支持ボックス１０はピラー１２上端部において水平に配設されており、作業車両内側に延出された構成となっている。
【００１１】
ピラー１２は作業車両１の一側部において立設さており、他方の側部にはグリップバー１４が立設されている。
グリップバー１４は下部および中央部において、垂直方向に延出され、上部において作業車両内側方向に延出している。本実施例においては、作業車両１のフレーム４の前部上に設けたステップ１３上にピラー１２およびグリップバー１４が立設しており、グリップバー１４はステップ１３より上方に延出され、シート８の座面上方において作業車両内側に延出されている。グリップバー１４の上端部を操縦者が握ることにより、操縦者の状態を安定させるものである。
そして、ステップ１３上には、作業車両１の前後進操作を行うペダル１５が配設されている。ペダル１５はシーソー式であり、中立位置より前方に回動させることにより作業車１を前進させ、後方に回動させることにより後進させる。
【００１２】
次に、駆動操向装置１１の第一実施例について、図３を用いて説明する。
図３は駆動操向装置の第一実施例を示す模式図。
エンジン６の駆動力は、ベルトを介して、駆動操向装置１１の上部に配設された操向用ポンプ１６のプーリと、駆動用ポンプ１８のプーリとに入力される。駆動用ポンプ１８および操向用ポンプ１６は、可変容量式油圧ポンプであり、作動油の吐出量と吐出方向とにより、それぞれ接続した駆動用モータ１９および操向用モータ１７を制御する。駆動用ポンプ１８は走行用リンク機構ＤＬにより操作され、操向用ポンプ１６は旋回用リンク機構ＳＬにより操作される。
駆動用モータ１９の出力軸は、遊星ギア機構２１のサンギアからキャリアを介して左右駆動輪３・３のアクスルシャフトに駆動力を伝達する。そして、駆動用モータ１９の出力軸はブレーキ装置２０にも接続している。
操向用モータ１７の駆動力は、遊星ギア機構２１のインターナルギアに伝達され、左右の駆動輪３・３に駆動速度の差を与えるものである。
【００１３】
駆動用ポンプ１８および操向用ポンプ１６の可動斜板は、前述のステアリングホイール９およびペダル１５等の操向駆動操作装置に接続され、操向駆動操作装置の操作に応じて制御される。
操向駆動操作装置と、駆動用ポンプ１８および操向用ポンプ１６の可動斜板との接続構成は、特に限定されるものではなく、機械式のリンクや電気的接続、あるいは油圧制御などにより、操向駆動操作装置の操作に応じて可動斜板が制御可能であればよい。例えば、ステアリングホイール９の回動量に応じて操向用ポンプ１６の可動斜板を回動させ、ペダル１５の回動量に応じて駆動用ポンプ１８の可動斜板を回動させてもよい。
【００１４】
駆動操向装置１１としては、上述のものだけでなく、左右の駆動輪３・３を独立して駆動するものを用いることもできる。
次に、駆動操向装置１１の第二実施例について、図４を用いて説明する。
図４は駆動操向装置の第二実施例を示す模式図。
エンジン６の駆動力は、ベルトを介して、駆動操向装置１１の上部に配設された右駆動用ポンプ２２のプーリと、左駆動用ポンプ２４のプーリとに入力される。右駆動用ポンプ２２および左駆動用ポンプ２４は、可変容量式油圧ポンプであり、作動油の吐出量により、それぞれ接続した右駆動用モータ２３および左駆動用モータ２５を制御する。
右駆動用モータ２３の出力軸は、減速機を介して右駆動輪３のアクスルシャフトに駆動力を伝達する。そして、左駆動用モータ２５の出力軸は、減速機を介して左駆動輪３のアクスルシャフトに駆動力を伝達する。
右駆動用モータ２３の出力軸および左駆動用モータ２５の出力軸は、それぞれブレーキ装置２０・２０にも接続している。
このように、左右の駆動輪３・３を個別に駆動制御することにより、作業車両１の駆動および操向を行うものである。
そして、右駆動用ポンプ２２および左駆動用ポンプ２４の可動斜板は、前述のステアリングホイール９およびペダル１５等の操向駆動操作装置に接続され、操向駆動操作装置の操作に応じて制御される。操向駆動操作装置と、駆動用ポンプ１８および操向用ポンプ１６の可動斜板との接続構成は、特に限定されるものではなく、操向駆動操作装置の操作に応じて可動斜板が制御されればよい。
なお、上述の駆動操向装置の第一実施例および第二実施例は、操作部の構成や作業車両の仕様によって、選択されるものである。
【００１５】
次に、図５から図７を用いて、操作部の第一実施例の構成について説明する。
図５はステアリングを用いた操作部の斜視図。
図６はステアリングを用いた操作部の正面図。
図７は操作装置支持部の回動構成を示す斜視図。
ステアリングホイール９の枢軸は、操作装置支持ボックス１０内において、スプロケット３１に接続している。スプロケット３１には、スプロケット３３に巻架されたチェーン３２が巻架されている。
スプロケット３３は、ピラー１２内に配設された軸３４の上端に固設されており、軸３４と一体的に回動するものである。軸３４の下端には、軸３４と直行する方向に延出されたアーム３５が固定されている。アーム３５は一端において軸３４に接続しており、他端において操向駆動装置１１のリンク機構に接続したロッドに接続している。駆動操向装置１１の構成が図３に示す構成の場合には、旋回用リンク機構ＳＬに接続される。
これにより、ステアリングホイール９を回動すると、チェーン３２によりステアリングホイール９の回動が軸３４に伝達され、アーム３５が回動する。これにより、操向駆動装置１１にステアリングホイール９の回動を伝達するものである。
なお、チェーンとスプロケット以外にも、ステアリングホイール９の可動をアーム３５に伝達可能な構成とすることも可能である。
【００１６】
ペダル１５の下方には、作業車両１の左右方向に延出された枢軸３６が配設されている。ペダル１５は枢軸３６に回動自在に枢支されており、ペダル１５の枢軸３６を介して反対側にはアーム３７が接続されている。
アーム３７はペダル１５と一体的に回動するものであり、アーム３７には操向駆動装置１１のリンク機構に接続したロッドに接続している。駆動操向装置１１の構成が図３に示す構成の場合には、走行用リンク機構ＤＬに接続される。
これにより、ペダル１５を回動すると、アーム３７が回動され、操向駆動装置１１にペダル１５の回動を伝達するものである。
【００１７】
ピラー１２は運転席であるシート８の近傍において垂直方向に立設されている。そして、ピラー１２の上部にはピラー１２と直交する方向に操作装置支持ボックス１０が配設されている。
操作装置支持ボックス１０はステアリングホイール９を回動自在に支持するとともに、内部にステアリングホイール９の回動を伝達する構成を有するものである。
そして、操作装置支持ボックス１０は、ピラー１２を回動中心として回動可能に構成されたベース１０ａを備えている。
図７に示すごとく、操作装置支持ボックス１０を回動させることにより、作業車両１への乗降りが容易となるとともに、ステアリングホイール９をシート８に座った運転者の上体の前方に配設することができる。これにより、操作性および前方の視認性を犠牲にすることなく、乗降の容易さを維持できる。
なお、操作装置支持ボックス１０のベース１０ａは、デテント機構や位置決め用の溝、ピンによる係止などにより、操作位置に固定可能であり、固定方法を特に限定するものではない。操作する際に、操作装置支持ボックス１０を、ステアリングホイール９が操縦者の上体前方に位置するように、固定するものである。また、前後進をおこなうペダル１５を配設することにより、運転席の前方が開放されたリアエンジン式作業車両においても、ステアリングホイール式の作業車両の操作性をもたせることが出来る。
【００１８】
作業車両の一側方には操作装置支持ボックス１０を介してステアリングホイール９を支持するピラー１２が配設され、他方にはグリップバー１４が配設される。
グリップバー１４は、シート８の近傍に配設されており、上端が背もたれの前方に位置する。そして、シート８に座った操縦者が片手でグリップバー１４をつかみ、上体を安定化できる構成となっている。そして、もう片方の手で、ステアリングハンドル９が操作される。
グリップバー１４は下部において垂直方向に延出され、上部において機体内側方向もしくはシート８に向けて延出されている。そして、上端部がシート８の座面上方において、機体左右方向に向くように構成されている。グリップバー１４の上端部は、シート８に操縦者が座った状態で、操縦者の上体前方に位置する構成となっている。
グリップバー１４はシート８の前方や側方に配設するこが可能であり、延出されたグリップバー１４の上端部をつかみ、操縦者が姿勢保持可能であればよい。これにより、運転者は、グリップバー１４をシート８に座った状態でつかみやすく、容易に上体を安定化させることができる。
グリップバー１４も、回動可能に構成できる。グリップバー１４に設定された以上の力が加わった場合には、グリップバー１４を回動させたり、解除レバーなどを設けてグリップバー１４の固定を解除したりすることが可能である。
【００１９】
なお、図６に示すごとく、シート８に座った操縦者の前方を遮る距離の大きい操作装置支持ボックス１０を可動式とし、遮る距離の短いグリップバー１４を固定式として、転倒などの非常時に脱出し易く構成することも可能である。
【００２０】
操作部の第一実施例において、ステアリングホイール以外にも、操向を行うものを適用できる。
図８から図１０を用いて、操作部の第一実施例における、ステアリングホイールの代用操向具の構成について説明する。
図８はクランクハンドルの斜視図。
図９はバーハンドルの斜視図。
図１０はノブハンドルの斜視図。
【００２１】
図８に示すクランクハンドル４１は、操作装置支持ボックス１０に枢支される枢軸４２の上端に側面視Ｌ字状部材を接続し、下端にアーム４４を接続した構成となっている。Ｌ字状部材の上部はグリップ４３となっており、グリップ４３を回動させることにより、作業車両の操向を行うものである。
枢軸４２に固定されたアーム４４には、ロッドやワイヤーが接続され、クランクハンドル４１の回動を図外の軸３４に伝達する構成となっている。
【００２２】
図９に示すノブハンドル４６は、操作装置支持ボックス１０に枢支される枢軸４２の上端にアーム４８を接続し、下端にアーム４４を接続した構成となっている。アーム４８の上面には、ノブ４７が回動自在に枢支されており、このノブ４７を持ち、ノブハンドル４６を回動させることにより、作業車両の操向を行うものである。
枢軸４２に固定されたアーム４４には、ロッドやワイヤーが接続され、ノブハンドル４６の回動を伝達する構成となっている。
【００２３】
次に、図１０を用いて、ステアリングが上体支持用の部材を兼ねる構成について説明する。
図１０はグリップバーを省略した運転部の構成を示す図。
運転席の近傍であって、作業車両の機体側部に配設した車両操作装置をステアリングハンドルとすることにより、ステアリングハンドルにより操縦者の上体を支持し、運転者の姿勢を安定させることができる。
ステアリングホイール９は、回動により操向を行うものである。このため、ステアリングホイール９の左右対称の位置を両手で持ち、押し引きした場合には、ステアリングホイール９が回動しない。すなわち、ステアリングホイール９により操縦者の上体を支持でき、図１０に示すごとく、グリップバーを省略することができるものである。
【００２４】
図１１に示すバーハンドル４５は、操作装置支持ボックス１０に枢支される枢軸４２の上端に平面視Ｖ字状部材の中央部を接続し、下端にアーム４４を接続した構成となっている。Ｖ字状部材の両端はグリップ４３・４３となっており、グリップ４３・４３を持ち、バーハンドル４５を回動させることにより、作業車両の操向を行うものである。
枢軸４２に固定されたアーム４４には、ロッドやワイヤーが接続され、バーハンドル４５の回動を図外の軸３４に伝達する構成となっている。
【００２５】
次に、図１２を用いて、操作部の第二実施例の構成について説明する。
図１２は操作部の第二実施例である二つのツイストグリップを用いた操作部を示す図。
操作部の第二実施例においては、二つのツイストグリップ５１・５１を用いるものである。
シート８の近傍において、グリップバー１４・１４を作業車両の機体両側部において配設し、グリップバー１４の上端部にツイストグリップ５１を設けるものである。
ツイストグリップ５１は、モーターサイクルのスロットルのごとくグリップを握った状態でひねって回動させるものである。ツイストグリップ５１はグリップの回動中心を通る方向に力を加えるとグリップが回動しない。このため、ツイストグリップ５１・５１を握った状態で、姿勢保持を行うことができる。
すなわち、ツイストグリップ５１・５１により作業車両の操向駆動操作および、運転者の上体を支持することができる。
【００２６】
ツイストグリップ５１・５１を用いた操向駆動構成においては、右側のツイストグリップ５１を右駆動輪３の駆動操作用とし、左側のツイストグリップ５１を左駆動輪３の駆動操作用とすることが可能である。また、一方のツイストグリップ５１を駆動用とし、他方を操向用とすることも可能である。
なお、グリップバー１４・１４は前述の操作装置支持ボックス１０のごとく、回動および固定可能に構成しているものである。
図１２においては、グリップバー１４の上部を、グリップバー１４の途中部を回動中心として、外側に回動可能とすることができる。さらに、グリップバー１４の上部をバネ等の弾性部材により外側に付勢し、操縦時にグリップとして利用する位置において（図１２において実線で示される位置）に係止具などにより固定し、乗降時に係止具の係止解除を行い、グリップバー１４の上部を外側に回動させて、乗降性を向上させることも可能である。もしくは、グリップバー１４上部を、垂直軸を回動軸として、乗降時に回動可能として、乗降性を向上させることも可能である。
【００２７】
次に、図１３および図１４を用いて、操作部の第三実施例の構成について説明する。
図１３は操作部の第三実施例である一つのツイストグリップと一つのペダルを用いた操作部を示す図。
図１４は第三実施例においてツイストグリップを縦置きした構成を示す図。
操作部の第三実施例においては、図１３に示すごとく、一つのツイストグリップ５１と一つのペダル１５を用いるものである。
シート８の近傍において、グリップバー１４を作業車両の機体両側部において配設し、一方のグリップバー１４の上端部にツイストグリップ５１を設けるものである。
そして、シート８の前方にペダル１５を配設する。
これにより、ツイストグリップ５１を旋回用に、ペダル１５を前後進用に用いて、作業車両を操作することができる。
また、ツイストグリップ５１を前後進用に、ペダル１５を左右に回動するシーソー式のものとして旋回用とし、作業車両を操作することができる。
これにより、運転者の上体を支持するためだけのグリップバー１４を設けることが出来る。
さらに、図１４に示すごとく、ツイストグリップ５１を縦置きとすることも可能である。この場合には、ツイストグリップ５１を操向用とすることにより、操作感覚の向上を図れるものである。
なお、ツイストグリップ５１を装着したグリップバー１４によっても、運転者の姿勢を保持することができるので、他方のグリップバー１４を省略することも可能である。
【００２８】
次に、図１５を用いて、操作部の第四実施例の構成について説明する。
図１５は操作部の第四実施例である二つのペダルを用いた操作部を示す図。
操作部の第四実施例においては、図１５に示すごとく、二つのペダル１５・１５を用いるものである。
シート８の近傍において、グリップバー１４・１４を作業車両の機体両側部において配設する。そして、シート８の前方において、機体両側部にペダル１５・１５を配設する。
ペダル１５・１５を用いた操向駆動構成においては、右側のペダル１５を右駆動輪３の駆動操作用とし、左側のペダル１５を左駆動輪３の駆動操作用とすることが可能である。また、一方のペダル１５を駆動用とし、他方を操向用とすることも可能である。
これにより、２つのグリップバー１４を姿勢支持用としてのみ利用することができる。
なお、一方のペダルをツイスト式として旋回用に用い、他方を前後回動式として前後進用に用いることも可能である。
【００２９】
次に、図１６を用いて、操作部の第五実施例の構成について説明する。
図１６は操作部の第五実施例である操作レバーを用いた操作部を示す図。
操作部の第五実施例においては、図１６に示すごとく、作業車両の前後進および操向を行う操作レバー５２を用いるものである。
シート８の近傍において、グリップバー１４・１４を作業車両の機体両側部において配設する。そして、一方のグリップバー１４の上部に操作装置支持ボックス１０を固設する。操作装置支持ボックス１０には一本の操作レバー５２が配設され、操縦者は片手で操作レバー５２を操作する構成となっている。
操作装置支持ボックス１０は操作レバー５２を傾動自在に支持するとともに、操作レバー５２に行われた操作をリンク機構などに伝達するものである。操作レバーは、前後左右に傾動可能であり、前後方向が前後進に対応しており、左右方向が旋回に対応している。
機体側部の一方に配設した操作レバー５２を片手で操作することにより作業車の操向駆動操作を行うとともに、他方に配設したグリップバー１４をもう片方の手で握ることにより上体の姿勢を支持可能に構成するので、容易な操作性と姿勢の安定化を提供できる。
【００３０】
次に、操作装置支持ボックス１０の内部構成の第一実施例について、図１７および図１８を用いて説明する。
図１７は第一実施例である操作装置支持ボックスの側面断面図。
図１８は同じく平面一部断面図。
操作レバー５２は操作装置支持ボックス１０の底部を支点として傾動自在に構成されており、操作レバー５２にはガイド孔を設けたプレート５４・５５が挿嵌されている。
十字方向に重ねて配置したプレート５４・５５は操作装置支持ボックス１０に固設した対向するレール５６・５６間に挿入され、前後もしくは左右方向に摺動自在に構成されている。プレート５４・５５にはそれぞれ、ステー５４ｂおよびステー５５ｂが設けられており、ステー５４ｂおよびステー５５ｂにそれぞれワイヤ５８、ワイヤ５７が接続されている。
【００３１】
操作レバー５２を傾動すると、操作レバー５２の前後位置に応じて、プレート５５が前後方向に摺動される。これにより、ワイヤ５７が摺動され、操作レバー５２の前後位置を操向駆動装置１１の走行用リンク機構ＤＬに伝達可能となる。同様に、操作レバー５２の左右位置に応じて、プレート５４が左右方向に摺動される。これにより、ワイヤ５８が摺動され、操作レバー５２の左右位置を操向駆動装置１１の旋回用リンク機構ＳＬに伝達可能となる。
なお、ワイヤ５７・５８のアウタワイヤは操作装置支持ボックス１０に固定されている。
【００３２】
次に、操作装置支持ボックス１０の内部構成の第二実施例について、図１９から図２２を用いて説明する。
図１９は第二実施例である操作装置支持ボックスの平面一部断面図。
図２０は操作レバーガイドの構成を示す平面図。
図２１は左右位置検出プレートの第一実施例を示す図。
図２２は左右位置検出プレートの第二実施例を示す図。
操作レバー５２は操作装置支持ボックス１０の底部を支点として傾動自在に構成されており、操作レバー５２にはガイド孔を設けたプレート５５が挿嵌されている。そして、プレート５５に直交するように、前進用プレート６１および後進用プレート６３が配設されている。
前進用プレート６１および後進用プレート６３は端部において開口したガイド溝を有するものであり、ガイド溝はプレート６１・６３の長手方向に沿った構成となっている。
【００３３】
前進用プレート６１の外端部にはステー６１ｂ設けられており、このステー６１ｂにワイヤ６２が接続されている。後進用プレート６３の外端部にはステー６３ｂ設けられており、このステー６３ｂにワイヤ６４が接続されている。
ワイヤ６２・６４は操向駆動装置の操向用油圧ポンプの可動斜板コントロールアーム６５に、回動支点に対して対称位置に接続されている。
これにより、前進用プレート６１が右に摺動された場合と、後進用プレート６３が右に摺動された場合とではアーム６５の回動方向が逆になる。すなわち、前進時と後進時とにおいて、操作レバー５２の傾動方向に対応した旋回を行うことができるものである。
【００３４】
このよう構成をとる場合には、図２０に示すように、中立位置から左右方向への操作レバー５２の傾動を規制するガイド６６を操作レバー５２に挿嵌する。ガイド６６により、操作レバー５２の中立位置における左右方向への傾動を規制することにより、操作レバー５２が前進用プレート６１もしくは後進用プレート６３から外れることを防止する。
【００３５】
次に、前進用プレート６１および後進用プレート６３の第一実施例について説明する。図２１において後進用６３を用いて説明するが、前進用プレート６１も同様の構成である。
後進用プレート６３には一端側に開口したガイド溝が設けられており、開口側端部と反対側にステー６３ｂが設けられている。そして、ステー６３ｂとガイド溝との間に突起部６７が設けられている。
突起部６７は操作装置支持ボックス１０に固定されたレールに挿入され、後進用プレート６３を摺動方向に対して直角に維持させるものである。
【００３６】
次に、前進用プレート６１および後進用プレート６３の第二実施例について、図２２を用いて説明する。
後進用プレート６３には一端側に開口したガイド溝が設けられており、開口側端部と反対側にステー６３ｂが設けられている。そして、ステー６３ｂとガイド溝との間に筒部６８が設けられている。
筒部６８には、操作装置支持ボックス１０に両端を固定された軸６９が挿入され、後進用プレート６３を摺動方向に対して直角に維持させるものである。
後進用プレート６３および前進用プレート６１を第一実施例もしくは第二実施例のごとく構成することにより、操作レバー５２の位置を後進用プレート６３および前進用プレート６１により、確実に取出すことが出来る。
【００３７】
次に、操作装置支持ボックス１０の内部構成の第三実施例について、図２３および図２４を用いて説明する。
図２３は第三実施例である操作装置支持ボックスの側面断面図。
図２４は同じく平面一部断面図。
操作レバー５２の中途部にはボール部７２が設けられており、操作レバー５２はボール部７２においてカバー７１に傾動自在に支持されている。操作レバー５２の下端にはガイド孔を設けたプレート５５およびプレート７３が挿嵌されている。
プレート５５は操作装置支持ボックス１０に固設した対向するレール５６・５６間に挿入され、前後方向に摺動自在に構成されている。
プレート７３には支持部７５が固設されており、支持部７５は、操作装置支持ボックス１０に固設した枢軸７４を回動中心として、回動自在に構成されている。プレート５５・７３にはそれぞれワイヤ５７・５８が接続されている。
【００３８】
操作レバー５２を傾動すると、操作レバー５２の前後位置に応じて、プレート５５が前後方向に摺動される。これにより、ワイヤ５７が摺動され、操作レバー５２の前後位置を操向駆動装置１１のリンク機構に伝達可能となる。
そして、操作レバー５２が前進もしくは後進位置で、左右方向に傾動されると、傾動位置に応じて、プレート７３が回動する。これにより、ワイヤ５８が摺動され、操作レバー５２の左右位置を操向駆動装置１１のリンク機構に伝達可能となる。
なお、ワイヤ５７・５８のアウタワイヤは操作装置支持ボックス１０に固定されている。
【００３９】
この他に、作業車両操縦者の上体支持用部材として、シート８の側方に肘掛を設け、肘掛の外側方もしくは前方に、グリップを設けることも可能である。
そして、上述した実施例において、作業車両操縦者の上体支持用部材として、肘掛の近傍に設けたグリップを用いることも可能である。
【００４０】
【発明の効果】
請求項１に記載のごとく、運転席の前方が開放されたリアエンジン式作業車両の操縦部であって、
該作業車両より運転席近傍に延出した部材の端部を、作業車両操縦者の上体支持用グリップとするので、
操縦者の姿勢維持用の部材を配設でき、作業時に姿勢を維持しやすく、安心感を持って走行作業を行うことができる。
【００４１】
請求項２に記載のごとく、運転席の前方が開放されたリアエンジン式作業車両の操縦部であって、
該作業車両の機体側部の一方に、作業車両操縦者の上体支持用グリップ設けるとともに、他方にステアリング手段もしくは駆動制御手段を設けるので、
操作性を向上させながら、操縦者の姿勢維持用の部材を配設でき、作業時に姿勢を維持しやすく、安心感を持って走行作業を行うことができる。
【００４２】
請求項３に記載のごとく、リアエンジン式ゼロターン作業車両の操縦部であって、
該作業車両の側部もしくは前部より運転席近傍に延出した部材の端部にステアリング手段を設け、
該ステアリング手段を作業車両操縦者の前方に配置し、
該ステアリング手段が作業車両操縦者の上体支持手段を兼ねるので、
操作性および乗降性、さらに正面方向の視認性を向上させながら、操縦者の姿勢維持用の部材を配設でき、作業時に姿勢を維持しやすく、安心感を持って走行作業を行うことができる。
【図面の簡単な説明】
【図１】乗用型芝刈機の全体側面図。
【図２】同じく側面図。
【図３】駆動操向装置の第一実施例を示す模式図。
【図４】駆動操向装置の第二実施例を示す模式図。
【図５】ステアリングを用いた操作部の斜視図。
【図６】ステアリングを用いた操作部の正面図。
【図７】操作装置支持部の回動構成を示す斜視図。
【図８】クランクハンドルの斜視図。
【図９】ノブハンドルの斜視図。
【図１０】グリップバーを省略した運転部の構成を示す図。
【図１１】バーハンドルの斜視図。
【図１２】操作部の第二実施例である二つのツイストグリップを用いた操作部を示す図。
【図１３】図１３は操作部の第三実施例である一つのツイストグリップと一つのペダルを用いた操作部を示す図。
【図１４】第三実施例においてツイストグリップを縦置きした構成を示す図。
【図１５】操作部の第四実施例である二つのペダルを用いた操作部を示す図。
【図１６】操作部の第五実施例である操作レバーを用いた操作部を示す図。
【図１７】第一実施例である操作装置支持ボックスの側面断面図。
【図１８】同じく平面一部断面図。
【図１９】第二実施例である操作装置支持ボックスの平面一部断面図。
【図２０】操作レバーガイドの構成を示す平面図。
【図２１】左右位置検出プレートの第一実施例を示す図。
【図２２】左右位置検出プレートの第二実施例を示す図。
【図２３】第三実施例である操作装置支持ボックスの側面断面図。
【図２４】同じく平面一部断面図。
【符号の説明】
１　作業車両
２　キャスター輪
３　駆動輪
４　フレーム
５　モアデッキ
６　エンジン
７　カバー
８　シート
９　ステアリングホイール
１０　操作装置支持ボックス
１１　操向駆動装置
１２　ピラー
１３　ステップ
１４　グリップバー
１５　ペダル
１６　操向用ポンプ
１７　操向用モータ
１８　駆動用ポンプ
１９　駆動用モータ
２０　ブレーキ装置
２１　遊星ギア機構
２２　右駆動用ポンプ
２３　右駆動用モータ
２４　左駆動用ポンプ
２５　左駆動用モータ
【図１】
2004089077.tif 000003
【図２】
2004089077.tif 000004
【図３】
2004089077.tif 000005
【図４】
2004089077.tif 000006
【図５】
2004089077.tif 000007
【図６】
2004089077.tif 000008
【図７】
2004089077.tif 000009
【図８】
2004089077.tif 000010
【図９】
2004089077.tif 000011
【図１０】
2004089077.tif 000012
【図１１】
2004089077.tif 000013
【図１２】
2004089077.tif 000014
【図１３】
2004089077.tif 000015
【図１４】
2004089077.tif 000016
【図１５】
2004089077.tif 000017
【図１６】
2004089077.tif 000018
【図１７】
2004089077.tif 000019
【図１８】
2004089077.tif 000020
【図１９】
2004089077.tif 000021
【図２０】
2004089077.tif 000022
【図２１】
2004089077.tif 000023
【図２２】
2004089077.tif 000024
【図２３】
2004089077.tif 000025
【図２４】
2004089077.tif 000026